(57)【要約】      （修正有）【課題】キャッチ本体から装飾品のピンが抜け落ちることを確実に防止すると共に、肌への負担が少なく、さらに、様々な装飾品のピンに対応できるピンキャッチを提供する。【解決手段】ピン挿通孔３が設けられた樹脂体からなるキャッチ本体１と、ピン挿通孔３の内周面に沿ってリング状に設けられた凹溝部６と、この凹溝部６に配置されたＣ字状のリングバネ２とを備え、前記Ｃ字状のリングバネ２の内周面側２ａがピン挿通孔３内に突出している。これにより、装飾品のピンをピン挿通孔に挿入した際にはリングバネのばね弾性が直接ピンに作用することで挟持力が高まり、ピン挿通孔からのピンの抜け落ちが効果的に防止される。【選択図】図２
0003186388.tif 000002
【実用新案登録請求の範囲】
【請求項１】
ピン挿通孔が設けられた樹脂体からなるキャッチ本体と、
ピン挿通孔の内周面に沿って配置されたＣ字状のリングバネと、
を備えていることを特徴とする装飾品のピンキャッチ。
【請求項２】
ピン挿通孔が設けられた樹脂体からなるキャッチ本体と、
ピン挿通孔の内周面に沿ってリング状に設けられた凹溝部と、
この凹溝部に配置されたＣ字状のリングバネと、を備え、
前記Ｃ字状のリングバネの内周面側がピン挿通孔内に突出していることを特徴とする装飾品のピンキャッチ。
【請求項３】
前記Ｃ字状のリングバネは、ピン挿通孔に沿って離れた位置に複数配置されている請求項１又は２に記載の装飾品のピンキャッチ。
【請求項４】
前記複数のＣ字状のリングバネは、両者間に架け渡されるバー材によって連結されている請求項３に記載の装飾品のピンキャッチ。
【請求項５】
前記キャッチ本体には、前記ピン挿通孔から前記キャッチ本体の外周面に向かって半径方向に延びるスリットが形成されている請求項１又は２記載の装飾品のピンキャッチ。
【考案の詳細な説明】
【技術分野】
【０００１】
本考案は、ネクタイピン、ピンブローチ、ピアス等の装飾品のピンを保持するためのキャッチに関するものである。
【背景技術】
【０００２】
近年、シリコーン等の樹脂体からなるピアス用のキャッチ等が提案されている。このような装飾品のピンキャッチは、樹脂体の中央に挿通孔を設け、ピンを通す構造となっている。樹脂体の弾性力により挿通孔からピンが抜け落ちるのを防止するものである。
【０００３】
上記構造による装飾品のピンキャッチでは、繰り返しの使用により、樹脂体の弾性力が弱まるといった問題があった。
【０００４】
このような問題を解決するため、出願人はシリコーン等の樹脂体からなるキャッチ本体の外周に金属ばねを嵌着することで、ピンの抜け落ちを防止するピンキャッチを提案している（特許許文献１、２、３）。
【先行技術文献】
【特許文献】
【０００５】
【特許文献１】特開２０１１−５６０３５号公報
【特許文献２】特開２０１１−１１５１８９号公報
【特許文献３】実用新案登録第３１５３８７０号公報
【考案の概要】
【考案が解決しようとする課題】
【０００６】
しかしながら、シリコーン等の樹脂体からなるキャッチ本体の外周に金属ばねを嵌着した構成では、金属ばねのばね弾性がキャッチ本体の外側から作用するため、金属ばねの有する挟持力が装飾品のピンに直接伝わりにくく、ピンの抜け落ちを確実に防止する点で課題が残っていた。
【０００７】
そこで、本考案の目的は、これらの問題点を解決し、キャッチ本体から装飾品のピンが抜け落ちることを確実に防止することができるピンキャッチを提供することにある。
【課題を解決するための手段】
【０００８】
上記の課題を解決するために、本考案に係る装飾品のピンキャッチは、ピン挿通孔が設けられた樹脂体からなるキャッチ本体と、ピン挿通孔の内周面に沿って配置されたＣ字状のリングバネとを備えている。
【０００９】
また、本考案に係る装飾品のピンキャッチの一実施形態では、前記ピン挿通孔の内周面に沿ってリング状の凹溝部が設けられ、この凹溝部に前記Ｃ字状のリングバネが配置されている。
【考案の効果】
【００１０】
本考案に係る装飾品のピンキャッチによれば、ピン挿通孔の内周面に沿ってＣ字状のリングバネが配置されているので、装飾品のピンをピン挿通孔に挿入した際にはリングバネのばね弾性が直接ピンに作用することで挟持力が高まり、ピン挿通孔からのピンの抜け落ちが効果的に防止されることになる。
【００１１】
また、ピン挿通孔の内周面に沿ってリング状に凹溝部を設け、この凹溝部にＣ字状のリングバネを配置したので、リングバネがピン挿通孔内で位置ずれを起こすこともなく安定した姿勢でピンを保持することができ、所定のばね弾性が常にピンに作用することで品質の安定したピンキャッチを提供することができる。
【００１２】
また、伸縮可能なＣ字状のリングバネからなるので、ピンの太さに柔軟に対応することができ、様々な装飾品のピンに対応することが可能である。
【図面の簡単な説明】
【００１３】
【図１】本考案に係る装飾品のピンキャッチの一実施形態を示す斜視図である。
【図２】（ａ）は図１のＡ−Ａ線断面図であり、（ｂ）はピン挿通孔にピンを挿通させた状態の、図１のＡ−Ａ線断面図である。
【図３】（ａ）は図２（ａ）のＢ−Ｂ線端面図であり、（ｂ）は図２（ｂ）のＣ−Ｃ線端面図である。
【考案を実施するための形態】
【００１４】
以下、本考案に係る装飾品のピンキャッチの一実施形態を添付図面に基づいて詳細に説明する。
【００１５】
図１乃至図３において、本考案に係る装飾品のピンキャッチは、樹脂体からなるキャッチ本体１と、キャッチ本体１の内部に配置されたＣ字状のリングバネ２とからなる。キャッチ本体１には、図１において上下方向に貫通するピン挿通孔３が設けられ、このピン挿通孔３に装飾品のピン４が挿入される。
【００１６】
前記キャッチ本体１は、シリコーンその他のゴム弾性を有する樹脂体を用いることができるが、人体に対する毒性が低いシリコーンが好ましい。
【００１７】
シリコーンからなるキャッチ本体１は、金属製のピンキャッチに比べて成形しやすく、様々な形状とすることが可能であり、また様々な色に着色することができる。これにより、単に装飾品を止めるためだけでなく、ピンキャッチそれ自体を趣向性の高いものとすることができる。この実施形態では、キャッチ本体１は、球体を上下から少し押し潰したような楕円形をしており、ピン挿通孔３が上下方向に貫通している。また、外形が上下対称であるため、ピン４の挿入する向きを選ばず、上下いずれの方向からもピン４を挿入することができる。なお、キャッチ本体１の形状は、特に限定されるものではなく、球体形状や円錐台形状など様々な形状とすることができる。
【００１８】
ピン挿通孔３はキャッチ本体１を上下に貫通する断面円形のストレートの孔である。また、ピン挿通孔３の内径はピン４の直径とほぼ同一か僅かに小さいものであるが、ピン挿通孔３のほぼ真ん中付近には内径を湾曲状に絞った小径部５が設けられ、この部分においてピン４に対する挟持力を高めている。この実施形態のように、ピン挿通孔３全体の径を細くすることなく、一部分のみの内径を小さくすることにより、ピン４の挿入のし易さを妨げることなく、ピン４の挟持力を高めることができる。
【００１９】
ピン挿通孔３の内部にはその内周面に沿って全周にリング状の凹溝部６が設けられている。凹溝部６は、前記小径部を挟んでその上下の離れた位置に一対設けられている。この凹溝部６の断面形状は略円形であり、この凹溝部６に後述するＣ字状のリングバネ２が嵌め込まれている。
【００２０】
また、キャッチ本体１には、ピン挿通孔３からキャッチ本体１の外周に向かって半径方向に伸びるスリット６が形成されている。この実施形態におけるスリット６は、キャッチ本体１の中央部分を残して上部と下部に一対が設けられ、キャッチ本体１の上下全体の約１/３ずつが上部と下部に分かれて設けられている。また、スリット８の半径方向の長さは、この実施形態ではスリット８の一部がキャッチ本体１の外周面まで達し、他の部分が外周面まで達しない範囲であるが、特に限定されるものではない。このようなスリット８を設けることにより、ピン挿通３孔へのピン４の挿入がスムーズになると共に、ピン４を繰り返し挿通させることによるピン挿通孔３付近の樹脂体の負担を減少させ、挟持力の低下を防ぐことができる。なお、スリット８は、キャッチ本体１の上部のみ又は下部のみに設けてもよく、またキャッチ本体１の全体に設けてもよい。
【００２１】
前記Ｃ字状のリングバネ２は、リングの一部が開放された形状となっているため、それ自体がばね弾性を有する。その結果、ピン挿通孔３にピン４が挿入されたときには、リング全体のばね弾性によってピン４を挟持することができる。このリングバネ２は、金属製であるか樹脂製であるかを問わない。金属製バネの場合はその材質として、例えばりん青銅などばね性に優れたものが望ましいが、特に限定されるものではない。なお、本実施形態ではリングバネ２がキャッチ本体１のピン挿通孔３内に配置された構造となっており、肌に直接ふれることがないため、その選択の幅が広い。すなわち、アレルギー等の肌への負担を考慮する必要がない。
【００２２】
この実施形態に係るＣ字状のリングバネ２は、図３（ａ）に示したように、ピンが装着されてない時には幅寸法ｌの開口９を有しているが、この開口９の幅寸法ｌの大きさは問わない。Ｃ字状のリングバネ２はリングの一部が開放されていることによって、図３（ｂ）に示したように、ピン４が装着された時にはピン４の挿入によって開口９が開き、リングが外側に押し広げられて開口９が幅寸法Ｌ（Ｌ＞ｌ）に開くことで、ピン４に対するリングバネ２のばね弾性が効果的に作用して挟持力を高める。また、Ｃ字状のリングバネ２の一部が開くので多少太さの異なるピン４に対しても対応することができる。
【００２３】
上記Ｃ字状のリングバネ２は、キャッチ本体１のピン挿通孔３内に設けられた一対の凹溝部６内に配置される。この時、リングバネの開口９をキャッチ本体１のスリット８に向けた状態で配置される。Ｃ字状のリングバネ２は断面形状が凹溝部６と略同一径の円形であり、凹溝部６にぴったりと嵌り合っているが、図２（ａ）及び図３（ａ）に示したように、リングの内周面側２ａが全周に亘って凹溝部６からピン挿通孔３内に突出している。そのために、図２（ｂ）及び図３（ｂ）に示したように、ピン挿通孔３にピン４を挿入した際には、Ｃ字状のリングバネ２がゴム弾性を有するキャッチ本体１と共に外側に押されて内周面側２ａまで含めてリングバネ２全体が凹溝部６内に押し込まれる。また、ピン挿通孔３内に挿入されたピン４に対して、Ｃ字状のリングバネ２によるばね弾性に加えてキャッチ本体１のゴム弾性が作用することでしっかりと挟持されることになる。なお、前記一対のＣ字状のリングバネ２はピン挿通孔３内の離れた位置にそれぞれ配置されているので、全体として偏りなくピン４を挟持することができる。
【００２４】
また、前記一対のＣ字状のリングバネ２は、両者間に掛け渡されたバー材１０によって連結されている。このバー材１０は、Ｃ字状のリングバネ２の開口９とは反対側に配設された状態でリング部材２同士を連結しており、それ自体はキャッチ本体１の中に埋め込まれている。このように離れた位置に配置された一対のＣ字状のリングバネ２がキャッチ本体１内に埋め込まれたバー材１０により連結されることで、Ｃ字状のリングバネ２の位置ずれや凹溝部６からの離脱などを防ぐことができる。なお、一対のＣ字状のリングバネ２とバー材１０とは予め連結された状態で、キャッチ本体１と一体に成形される。
【００２５】
さらに、この実施形態では、キャッチ本体１の外周には前記Ｃ字状のリングバネ２と同様、リングの一端に開口１３を有するＣ字状の大径リングバネ１１を嵌着させている。この大径リングバネ１１は、ピン挿通孔３の孔方向と直交する方向に配置され、キャッチ本体１の外周面に形成した湾曲溝１２に嵌着される。このように、キャッチ本体１の外周面を大径リングバネ１１が囲うことで、キャッチ本体１に対して外側からもばね弾性を付与することができる。なお、大径リングバネ１１も、ピン挿通孔３内に配置された前記Ｃ字状のリングバネ２と同様、金属製か樹脂製かの別は問わない。
【００２６】
以上、一実施形態に基づいて本発明に係る装飾品のピンキャッチについて説明したが、本発明は上記の実施形態に限定されるものではなく、種々の変更および変形が上記実施形態のピンキャッチになされ得るものである。
【符号の説明】
【００２７】
１  キャッチ本体
２  Ｃ字状のリングバネ
３  ピン挿通孔
４  ピン
５  小径部
６  凹溝部
８  スリット
９  開口
１０  バー材
１１  大径リングバネ
１２  湾曲溝
１３  開口
【図１】
0003186388.tif 000003
【図２】
0003186388.tif 000004
【図３】
0003186388.tif 000005